(57)【要約】【課題】旋回時における機体の安定性の低下、及び、構成の複雑化や製造コストの高騰を招くことなく、予備苗載台に対する予備苗の補給を容易に行えるようにする。【解決手段】走行機体１に立設された支柱２１に複数の載置台２３を上下方向に所定間隔を隔てる状態に装備して構成された予備苗載台２０を装備してある乗用形田植機の予備苗載置構造において、支柱２１を走行機体１に対して前後変位可能に設けるとともに、その支柱２１の上部から下部にわたる範囲に複数の載置台２３を配置して、予備苗載台２０を、支柱２１の前後変位操作によって、複数の載置台２３が垂直方向に整列した状態で走行機体１の前端よりも後方に位置する第１状態と、複数の載置台２３が垂直方向に整列した状態で走行機体１の前端から前方に張り出す第２状態とに切り換え可能に構成した。【選択図】　　　　図４
2004113071.tif 000002
【特許請求の範囲】
【請求項１】
走行機体に立設された支柱に複数の載置台を上下方向に所定間隔を隔てる状態に装備して構成された予備苗載台を装備してある乗用形田植機の予備苗載置構造であって、
前記支柱を前記走行機体に対して前後変位可能に設けるとともに、その支柱の上部から下部にわたる範囲に複数の前記載置台を配置して、前記予備苗載台を、前記支柱の前後変位操作によって、複数の前記載置台が垂直方向に整列した状態で前記走行機体の前端よりも後方に位置する第１状態と、複数の前記載置台が垂直方向に整列した状態で前記走行機体の前端から前方に張り出す第２状態とに切り換え可能に構成してある乗用形田植機の予備苗載置構造。
【請求項２】
前記支柱を、その前後変位操作によって起立位置と前傾位置とにわたって前後揺動するように設け、かつ、前記載置台のそれぞれを、前記支柱の上部に前後揺動可能に吊り下げ支持された揺動枠を介して前記支柱に装備することで、前記支柱を前記前傾位置に位置させた前記第２状態では、前記支柱を前記起立位置に位置させた前記第１状態よりも、前記載置台のそれぞれの高さ位置が低くなるように構成してある請求項１に記載の乗用形田植機の予備苗載置構造。
【請求項３】
前記支柱を、前後方向に所定間隔を隔てて立設した一対のリンク部材で構成し、これらのリンク部材と、該リンク部材を支持するように前記走行機体の前部に配備された支持フレームと、前記リンク部材のそれぞれの上部にわたって支持される前記揺動枠の上枠部とから、前記第１状態では前記載置台のそれぞれを水平姿勢に、前記第２状態では前記載置台のそれぞれを後下がり傾斜姿勢に切り換える不等辺リンクを構成してある請求項２に記載の乗用形田植機の予備苗載置構造。
【請求項４】
前記予備苗載台を前記第１状態及び前記第２状態で固定するロック機構と、該ロック機構を操作する操作具とを装備し、前記ロック機構と前記操作具とを連係部材を介して連係してある請求項１〜３のいずれか一つに記載の乗用形田植機の予備苗載置構造。
【請求項５】
前記操作具を、前記予備苗載台の後部上方に配備してある請求項４に記載の乗用形田植機の予備苗載置構造。
【請求項６】
前記操作具を、前記予備苗載台の後部上方と前部上方のそれぞれに配備してある請求項４に記載の乗用形田植機の予備苗載置構造。
【請求項７】
前記予備苗載台を前記第１状態及び前記第２状態で固定するロック機構と、該ロック機構を操作する操作具とを装備し、前記操作具を前記揺動枠に装備してある請求項２又は３に記載の乗用形田植機の予備苗載置構造。
【請求項８】
前記予備苗載台を前記第２状態から前記第１状態に向けて付勢する付勢手段を装備してある請求項１〜７のいずれか一つに記載の乗用形田植機の予備苗載置構造。
【請求項９】
前記付勢手段の付勢によって、前記予備苗載台を前記第１状態から前記第２状態に切り換える際の操作荷重と、前記予備苗載台を前記第２状態から前記第１状態に切り換える際の操作荷重とが同じ又は略同じになるように設定してある請求項８に記載の乗用形田植機の予備苗載置構造。
【請求項１０】
前記付勢手段の付勢によって、前記予備苗載台を前記第２状態から前記第１状態に切り換える際の操作荷重が、前記予備苗載台を前記第１状態から前記第２状態に切り換える際の操作荷重よりも大きくなるように設定してある請求項８に記載の乗用形田植機の予備苗載置構造。
【発明の詳細な説明】
【０００１】
【発明の属する技術分野】
本発明は、走行機体に立設された支柱に複数の載置台を上下方向に所定間隔を隔てる状態に装備して構成された予備苗載台を装備してある乗用形田植機の予備苗載置構造に関する。
【０００２】
【従来の技術】
従来、上記のような乗用形田植機の予備苗載置構造においては、複数のトレーが上下方向に所定間隔を隔てる状態に装備された予備苗台の上部に回動支点を設け、この回動支点を介して予備苗台を走行機体に立設した支柱に機体前後に変位自在に取り付けることで、複数のトレーが走行機体の前端よりも後方に位置する状態と、複数のトレーが走行機体の前端から前方に張り出す状態とに切り換え可能に構成したものがある（例えば特許文献１参照。）。
【０００３】
又、複数の予備苗のせ台が上下方向に所定間隔を隔てる状態に配備された枠体を、車体の前部に枢着した前後一対の支持リンクの上部に、それら支持リンクを前下方に揺動させるほど枠体が前方へ移動するように装備することで、複数の予備苗のせ台を、その全体が乗用車体の前部よりも前方へ突出し、かつ、少なくとも一部が乗用車体前端側部分の上端よりも下方に位置する予備苗支持位置と、それよりも後上方へ移動させた退避位置とに位置変更できるように構成したものがある（例えば特許文献２参照。）。
【０００４】
【特許文献１】
実開平３−１１７４０９号公報（第５頁第８行−第１５行、第１図−第３図）
【特許文献２】
実公平２−３２００６号公報（第５欄第１９行−第３０行、第１図−第２図）
【０００５】
【発明が解決しようとする課題】
上記特許文献１などに記載の従来技術では、複数のトレーが走行機体の前端から前方に張り出す状態に予備苗台を切り換えることで、複数のトレーが走行機体の前端よりも後方に位置する状態に比較して、各トレーに対する畦からの予備苗の補給を行い易くすることができるのであるが、予備苗台を、その上部に設けた回動支点を介して支柱に前後変位自在に取り付けることから、複数のトレーが走行機体の前端から前方に張り出す状態に切り換えた場合には、下部側のトレーほど畦側に大きく張り出し、上部側のトレーほど畦から離れた位置に位置するようになる。そのため、上部側のトレーに予備苗を補給する際には、それらのトレーが畦から離れている上に下部側のトレーが邪魔になることから、上部側のトレーに対する予備苗の補給が、下部側のトレーに予備苗を補給する場合に比較して行い難くなる不都合が生じるようになっていた。
【０００６】
これに対し、上記特許文献２などに記載の従来技術では、複数の予備苗のせ台をそれらに対する予備苗補給位置である予備苗支持位置に位置させた場合には、予備苗のせ台のそれぞれが垂直方向に整列した状態で予備苗支持位置に位置することから、特許文献１などに記載の従来技術において生じるようになっていた上記の不都合は回避できるものの、予備苗支持位置よりも後上方の退避位置では、複数の予備苗のせ台の全体を乗用車体前端側部分の上端よりも上方に位置させることから、複数の予備苗のせ台を退避位置に位置させた枕地などでの旋回時における機体の安定性が低下するようになっていた。又、重量の大きい複数の予備苗のせ台の全体を、乗用車体前端側部分の上端よりも上方に位置させた退避位置と、乗用車体の前部よりも前方へ突出させた予備苗支持位置とにわたって移動させることから、その移動にかなりの操作力を要するようになり、その操作力を得るために、複数の予備苗のせ台を支持する支持リンクと油圧駆動される苗植付装置昇降用のリンク機構とを連係機構を介して連係することから、構成の複雑化や製造コストの高騰を招くようになっていた。
【０００７】
本発明の目的は、旋回時における機体の安定性の低下、及び、構成の複雑化や製造コストの高騰を招くことなく、予備苗載台に対する予備苗の補給を容易に行えるようにすることにある。
【０００８】
【課題を解決するための手段】
〔構成〕
上記目的を達成するため、本発明のうちの請求項１に記載の発明では、走行機体に立設された支柱に複数の載置台を上下方向に所定間隔を隔てる状態に装備して構成された予備苗載台を装備してある乗用形田植機の予備苗載置構造において、前記支柱を前記走行機体に対して前後変位可能に設けるとともに、その支柱の上部から下部にわたる範囲に複数の前記載置台を配置して、前記予備苗載台を、前記支柱の前後変位操作によって、複数の前記載置台が垂直方向に整列した状態で前記走行機体の前端よりも後方に位置する第１状態と、複数の前記載置台が垂直方向に整列した状態で前記走行機体の前端から前方に張り出す第２状態とに切り換え可能に構成した。
【０００９】
〔作用〕
上記請求項１に記載の発明によると、予備苗載台の各載置台に対して予備苗を補給する際には、支柱を走行機体の前方側に変位させて予備苗載台を第１状態から第２状態に切り換えれば、各載置台が垂直方向に整列した状態で走行機体の前端から前方に張り出すようになることから、各載置台に対する畦からの予備苗の補給が一律に行い易くなる。
【００１０】
又、走行機体に対して前後変位可能な支柱の上部から下部にわたる範囲に複数の載置台を配置したことで、予備苗載台の重心位置が、その第１状態及び第２状態にかかわらず比較的低い位置に維持されるようになることから、予備苗載台の第１状態と第２状態との切り換えによって機体の安定性が低下する、といった不都合を招くことがない。
【００１１】
しかも、予備苗載台の第１状態と第２状態との切り換えを、その重心位置を比較的低い位置に維持したままで行えることから、重心位置が上下方向に大きく変化する場合に比較して、その切り換えに要する操作力が軽減されるようになり、もって、例えば、予備苗載台の支柱を油圧駆動される苗植付装置昇降用のリンク機構に連係機構を介して連係する、といった構成を要することなく、その切り換えを人為操作で行えるようになる。
【００１２】
〔効果〕
従って、機体の安定性の低下、及び、構成の複雑化や製造コストの高騰を招くことなく、予備苗載台に対する予備苗の補給を容易に行えるようになった。
【００１３】
〔構成〕
本発明のうちの請求項２に記載の発明では、上記請求項１に記載の発明において、前記支柱を、その前後変位操作によって起立位置と前傾位置とにわたって前後揺動するように設け、かつ、前記載置台のそれぞれを、前記支柱の上部に前後揺動可能に吊り下げ支持された揺動枠を介して前記支柱に装備することで、前記支柱を前記前傾位置に位置させた前記第２状態では、前記支柱を前記起立位置に位置させた前記第１状態よりも、前記載置台のそれぞれの高さ位置が低くなるように構成した。
【００１４】
〔作用〕
上記請求項２に記載の発明によると、予備苗載台の各載置台に対して予備苗を補給する際には、支柱を走行機体の前方側に揺動変位させて予備苗載台を第１状態から第２状態に切り換えれば、各載置台が、垂直方向に整列した状態で、かつ、それぞれの高さ位置が低くなった状態で、走行機体の前端から前方に張り出すようになることから、上部側の載置台に対して畦から予備苗を補給する際の予備苗の持ち上げ距離を短くすることができ、もって、上部側の載置台に対する畦からの予備苗の補給が行い易くなる。
【００１５】
又、予備苗載台の各載置台に対する予備苗の補給後は、支柱を走行機体の後方側に揺動変位させて予備苗載台を第２状態から第１状態に切り換えれば、各載置台が、垂直方向に整列した状態で、かつ、それぞれの高さ位置が高くなった状態で、走行機体の前端よりも後方に位置するようになることから、下部側の載置台から走行機体に連結された苗植付装置に予備苗を供給する際の予備苗の持ち上げ距離を短くすることができ、もって、下部側の載置台から苗植付装置への予備苗供給が行い易くなる。
【００１６】
〔効果〕
従って、機体の安定性の低下、及び、構成の複雑化や製造コストの高騰を招くことなく、又、予備苗載台から苗植付装置への予備苗供給を行い易くしながら、予備苗載台に対する予備苗の補給を更に容易に行えるようになった。
【００１７】
〔構成〕
本発明のうちの請求項３に記載の発明では、上記請求項２に記載の発明において、前記支柱を、前後方向に所定間隔を隔てて立設した一対のリンク部材で構成し、これらのリンク部材と、該リンク部材を支持するように前記走行機体の前部に配備された支持フレームと、前記リンク部材のそれぞれの上部にわたって支持される前記揺動枠の上枠部とから、前記第１状態では前記載置台のそれぞれを水平姿勢に、前記第２状態では前記載置台のそれぞれを後下がり傾斜姿勢に切り換える不等辺リンクを構成した。
【００１８】
〔作用〕
上記請求項３に記載の発明によると、予備苗載台の各載置台に対して予備苗を補給する際には、支柱を走行機体の前方側に揺動変位させて予備苗載台を第１状態から第２状態に切り換えれば、各載置台が、後下がり傾斜姿勢で垂直方向に整列した状態で、かつ、それぞれの高さ位置が低くなった状態で、走行機体の前端から前方に張り出すようになることから、畦から各載置台に予備苗を補給する際の各載置台に対する予備苗の差し入れが一律に行い易くなる。
【００１９】
又、予備苗載台の各載置台に対する予備苗の補給後は、支柱を走行機体の後方側に揺動変位させて予備苗載台を第２状態から第１状態に切り換えれば、各載置台が、水平姿勢で垂直方向に整列した状態で、かつ、それぞれの高さ位置が高くなった状態で、走行機体の前端よりも後方に位置するようになることから、下部側の載置台から走行機体に連結された苗植付装置に予備苗を供給する際の予備苗の持ち上げ距離を短くすることができて、下部側の載置台から苗植付装置への予備苗供給が行い易くなる上に、走行時には予備苗を安定した水平姿勢で予備苗載台に載置させておくことができるようになる。
【００２０】
〔効果〕
従って、機体の安定性の低下、及び、構成の複雑化や製造コストの高騰を招くことなく、又、予備苗載台から苗植付装置への予備苗供給を行い易くしながら、予備苗載台に対する予備苗の補給をより一層容易に行えるとともに、走行時における予備苗の安定性を確保できるようになった。
【００２１】
〔構成〕
本発明のうちの請求項４に記載の発明では、上記請求項１〜３のいずれか一つに記載の発明において、前記予備苗載台を前記第１状態及び前記第２状態で固定するロック機構と、該ロック機構を操作する操作具とを装備し、前記ロック機構と前記操作具とを連係部材を介して連係した。
【００２２】
〔作用〕
上記請求項４に記載の発明によると、予備苗載台を第１状態に切り換えた走行時や予備苗載台からの予備苗取り出し時、及び、予備苗載台を第２状態に切り換えた予備苗載台への予備苗補給時に、予備苗載台が不測に変位する不都合を回避できるようになる。
【００２３】
又、ロック機構の配置に関係なく、操作具をその操作の行い易い位置に配置できるようになる。
【００２４】
〔効果〕
従って、予備苗載台が不測に変位することに起因した予備苗の落下を回避できるとともに、ロック機構の操作性の向上を図れるようになった。
【００２５】
〔構成〕
本発明のうちの請求項５に記載の発明では、上記請求項４に記載の発明において、前記操作具を、前記予備苗載台の後部上方に配備した。
【００２６】
〔作用〕
上記請求項５に記載の発明によると、ロック機構による予備苗載台の第１状態及び第２状態での固定並びに固定解除を、予備苗載台の後方に居る運転者の手動操作によって容易に行えるとともに、例えば、ロック機構による予備苗載台の第１状態及び第２状態での固定並びに固定解除を運転者のペダル操作で行う場合のように、運転者の片足をペダルに預けることで、予備苗載台の固定解除後に行われる予備苗載台の移動操作の際に運転者の姿勢が不安定になる不都合や、予備苗載台の移動操作あるいは予備苗載台から苗植付装置への予備苗供給などを行う際にペダルが邪魔になる不都合を回避できるようになる。
【００２７】
〔効果〕
従って、運転者によるロック機構の操作性や予備苗載台の操作性などの向上を図れるようになった。
【００２８】
〔構成〕
本発明のうちの請求項６に記載の発明では、上記請求項４に記載の発明において、前記操作具を、前記予備苗載台の後部上方と前部上方のそれぞれに配備した。
【００２９】
〔作用〕
上記請求項６に記載の発明によると、ロック機構による予備苗載台の第１状態及び第２状態での固定並びに固定解除を、予備苗載台の後方に居る運転者の手動操作、及び、予備苗載台の前方に居る補助作業者の手動操作によって容易に行えるとともに、例えば、ロック機構による予備苗載台の第１状態及び第２状態での固定並びに固定解除を運転者及び補助作業者のペダル操作で行う場合のように、運転者又は補助作業者の片足をペダルに預けることで、予備苗載台の固定解除後に行われる予備苗載台の移動操作の際にその移動操作を行う運転者又は補助作業者の姿勢が不安定になる不都合や、予備苗載台の移動操作、予備苗載台への予備苗補給、あるいは予備苗載台から苗植付装置への予備苗供給などを行う際にペダルが邪魔になる不都合を回避できるようになる。
【００３０】
〔効果〕
従って、運転者及び補助作業者によるロック機構の操作性や予備苗載台の操作性などの向上を図れるようになった。
【００３１】
〔構成〕
本発明のうちの請求項７に記載の発明では、上記請求項２又は３に記載の発明において、前記予備苗載台を前記第１状態及び前記第２状態で固定するロック機構と、該ロック機構を操作する操作具とを装備し、前記操作具を前記揺動枠に装備した。
【００３２】
〔作用〕
上記請求項７に記載の発明によると、ロック機構による予備苗載台の第１状態及び第２状態での固定並びに固定解除を、揺動枠に装備した操作具の操作によって容易に行えるようになる。又、揺動枠は、支柱の前後揺動による予備苗載台の第１状態と第２状態との切り換えにかかわらず、各載置台が垂直方向に整列した状態に維持されるように、支柱に前後揺動可能に吊り下げ支持されたものであることから、予備苗載台の第１状態と第２状態との切り換えにかかわらず操作具の姿勢を一定又は略一定にすることができ、結果、予備苗載台の第１状態と第２状態との切り換えに伴って操作具の姿勢が大きく変化するものに比較して操作具の操作が行い易くなる。
【００３３】
〔効果〕
従って、ロック機構の操作性の向上を図れるようになった。
【００３４】
〔構成〕
本発明のうちの請求項８に記載の発明では、上記請求項１〜７のいずれか一つに記載の発明において、前記予備苗載台を前記第２状態から前記第１状態に向けて付勢する付勢手段を装備した。
【００３５】
〔作用〕
上記請求項８に記載の発明によると、予備苗が補給されたことで操作荷重が大きくなる予備苗載台の第２状態から第１状態への切り換えを軽い操作で行えるようになる。
【００３６】
〔効果〕
従って、予備苗載台を第２状態から第１状態に切り換える際の操作性の向上を図れるようになった。
【００３７】
〔構成〕
本発明のうちの請求項９に記載の発明では、上記請求項８に記載の発明において、前記付勢手段の付勢によって、前記予備苗載台を前記第１状態から前記第２状態に切り換える際の操作荷重と、前記予備苗載台を前記第２状態から前記第１状態に切り換える際の操作荷重とが同じ又は略同じになるように設定した。
【００３８】
〔作用〕
上記請求項９に記載の発明によると、予備苗が補給されたことで操作荷重が大きくなる予備苗載台の第２状態から第１状態への切り換えを軽い操作で行えるようにしながらも、付勢手段によって、予備苗載台の第１状態から第２状態への切り換えが困難になる不都合を回避できるようになる。
【００３９】
〔効果〕
従って、予備苗載台を第１状態と第２状態とに切り換える際の操作性の向上を図れるようになった。
【００４０】
〔構成〕
本発明のうちの請求項１０に記載の発明では、上記請求項８に記載の発明において、前記付勢手段の付勢によって、前記予備苗載台を前記第２状態から前記第１状態に切り換える際の操作荷重が、前記予備苗載台を前記第１状態から前記第２状態に切り換える際の操作荷重よりも大きくなるように設定した。
【００４１】
〔作用〕
上記請求項１０に記載の発明によると、運転者による予備苗載台の第２状態から第１状態への切り換えは、力が入り易く体重の掛け易い引っ張り方向であり、運転者による予備苗載台の第１状態から第２状態への切り換えは、力を入れ難く体重の掛け難い押し出し方向であることから、予備苗載台を第２状態から第１状態に切り換える際の操作荷重が、予備苗載台を第１状態から第２状態に切り換える際の操作荷重よりも大きくなるように設定しているのであり、もって、運転者による予備苗載台の第１状態と第２状態との切り換えが行い易くなる。
【００４２】
〔効果〕
従って、運転者が予備苗載台を第１状態と第２状態とに切り換える際の操作性の向上を図れるようになった。
【００４３】
【発明の実施の形態】
図１には乗用形田植機の全体側面が示されており、この田植機は、乗用形に形成された走行機体１の後部に、油圧式のリフトシリンダ２の作動で昇降揺動するリンク機構３を介して、苗植付装置４を駆動昇降可能に連結することによって構成されている。
【００４４】
走行機体１は、その前部フレーム５にて支持されたエンジン６からの動力を、静油圧式無段変速装置７やギヤ式変速装置８などを介して、左右の前輪９及び後輪１０に伝達する四輪駆動形式に構成され、その中央部には、左右の前輪９を操向するステアリングホイール１１や運転座席１２などを備えた搭乗運転部１３が形成されている。
【００４５】
苗植付装置４は、機体の走行に伴って複数の整地フロート１４が苗植え付け箇所を前もって整地する一方で、ギヤ式変速装置８からの作業用動力が動力分配機構１５に伝達され、その動力分配機構１５からの動力で、苗載台１６が左右方向に一定ストロークで往復駆動され、かつ、複数のロータリ式の植付機構１７が、苗載台１６の下端から苗を所定量ずつ取り出して圃場に植え付ける苗植え付け作動を行うように構成されている。
【００４６】
図１〜４に示すように、走行機体１におけるエンジン６の左右両側部には、搭乗運転部１３に対する機体前方からの乗降を可能にする乗降ステップ１８が敷設され、これらの乗降ステップ１８は、前部フレーム５から左右外方に向けて延設された支持フレーム１９などによって支持されている。
【００４７】
左右の乗降ステップ１８の左右外側方には、走行機体１に対して前後変位可能な予備苗載台２０が立設装備されており、左右の各予備苗載台２０は、左右の対応する支持フレーム１９に起立位置と所定の前傾位置とにわたって前後揺動可能に立設された支柱２１、この支柱２１の上部に前後揺動可能に吊り下げ支持された揺動枠２２、及び、この揺動枠２２に上下方向に所定間隔を隔てるとともに垂直方向に整列する状態に装備された複数の載置台２３などから、支柱の２１の前後揺動操作によって、各載置台２３が垂直方向に整列した状態で走行機体１の前端よりも後方に位置する第１状態と、各載置台２３が垂直方向に整列した状態で走行機体１の前端から前方に張り出す第２状態とに、各載置台２３が支柱２１の上部から下部にわたる範囲内に位置する状態で切り換え可能となるように、又、支柱２１を前傾位置に位置させた第２状態では、支柱２１を起立位置に位置させた第１状態よりも各載置台２３の高さ位置が低くなるように構成されている。
【００４８】
左右の各支柱２１は、前後方向に所定間隔を隔てた状態で支持フレーム１９に前後揺動可能に支持された前後一対のリンク部材２４，２５によって構成され、前側のリンク部材２４と支持フレーム１９とを連結する支軸２６が、後側のリンク部材２５と支持フレーム１９とを連結する支軸２７よりも低い位置に設定されている。揺動枠２２は、その上枠部２８が前後の各リンク部材２４，２５の上端に装備されたボス２９，３０にわたって架設され、上枠部２８を前側のボス２９に連結する支軸３１と後側のボス３０に連結する支軸３２とが同じ高さ位置に設定されている。
【００４９】
つまり、支持フレーム１９と前後のリンク部材２４，２５と揺動枠２２の上枠部２８とから、第１状態では各載置台２３を水平姿勢に、第２状態では各載置台２３を後下がり傾斜姿勢に切り換える不等辺リンクが構成されている。
【００５０】
以上の構成から、各支柱２１を前傾位置に揺動変位させて左右の予備苗載台２０を第１状態から第２状態に切り換えれば、各載置台２３が、後下がり傾斜姿勢で垂直方向に整列し、かつ、それぞれの高さ位置が低くなった状態で、走行機体１の前端から前方に張り出すようになることから、畦から左右の予備苗載台２０に予備苗を補給する際の各載置台２３に対する予備苗の差し入れを一律に行い易くすることができるようになっている。
【００５１】
又、予備苗載台２０の各載置台２３に対する予備苗の補給後は、各支柱２１を走行機体１の後方側に揺動変位させて予備苗載台２０を第２状態から第１状態に切り換えれば、各載置台２３が、水平姿勢で垂直方向に整列し、かつ、それぞれの高さ位置が高くなった状態で、走行機体１の前端よりも後方に位置するようになることから、下部側の載置台２３から苗植付装置４の苗載台１６に予備苗を供給する際の予備苗の持ち上げ距離を短くすることができて、下部側の載置台２３から苗植付装置４の苗載台１６への予備苗供給が行い易くなる上に、走行時には予備苗を安定した水平姿勢で予備苗載台２０の各載置台２３に載置させておくことができるようになっている。
【００５２】
しかも、左右の各予備苗載台２０は、支柱２１の上部から下部にわたる範囲内に各載置台２３を位置させた状態で第１状態と第２状態とに切り換えられることによって、その重心位置が第１状態及び第２状態にかかわらず比較的低い位置に維持されるようになることから、予備苗載台２０の第１状態と第２状態との切り換えによって機体の安定性が低下する、といった不都合を招くことがなく、又、予備苗載台２０の第１状態と第２状態との切り換えを、その重心位置を比較的低い位置に維持したままで行えることから、その切り換えを人為操作で比較的簡単に行えるようになる。
【００５３】
尚、左右の各予備苗載台２０は、各支柱２１における後側のリンク部材２５の下端部が対応する支持フレーム１９の受止部３３に接当することで、各支柱２１の前傾位置から前方への倒伏が阻止されている。又、各載置台２３は、予備苗の載置が可能な載置姿勢と揺動枠２２側に起立した格納姿勢とに姿勢切り換え可能な状態で揺動枠２２に装備されている。
【００５４】
図１〜５に示すように、左右の各予備苗載台２０には、それらを第１状態及び第２状態にて固定するロック機構３４が装備され、各ロック機構３４は、後側のリンク部材２５に左右方向への摺動が可能な状態に装備された係止ピン３５が、バネ３６の付勢で支持フレーム１９に形成した第１係止孔３７に挿通されることによって、対応する予備苗載台２０を第１状態で固定保持し、又、支持フレーム１９に形成した第２係止孔３８に挿通されることによって、対応する予備苗載台２０を第２状態で固定保持するように構成されている。
【００５５】
つまり、各支柱２１を前後に揺動変位させて左右の予備苗載台２０を第１状態又は第２状態に切り換えると、対応するロック機構３４が、そのバネ３６の付勢によって、左右の予備苗載台２０を自動的に第１状態又は第２状態にて固定保持するようになっており、もって、予備苗載台２０の第１状態又は第２状態での固定保持を容易に行えるとともに、各予備苗載台２０を第１状態に切り換えた走行時や予備苗載台２０からの予備苗取り出し時、及び、予備苗載台２０を第２状態に切り換えた予備苗載台２０への予備苗補給時に、予備苗載台２０が不測に変位して予備苗が落下するなどの不都合の発生を未然に回避できるようになっている。
【００５６】
左右の各予備苗載台２０には、その後部上方に位置するボス３０から後方に向けて延出する把手３９が装備されており、この把手３９を把持することで、搭乗運転部１３側からの各予備苗載台２０の第１状態と第２状態との切り換えを、支柱２１と揺動枠２２との間に手が挟まれる虞などを招くことなく容易に行えるようになっている。
【００５７】
各把手３９には、対応するロック機構３４の係止ピン３５に、前後向きの支軸４０周りに揺動可能なクランクアーム（連係部材の一例）４１とロッド（連係部材の一例）４２とを介して連係された操作レバー（操作具の一例）４３が、把手３９との共握りが可能な状態に装備されており、この操作レバー４３と把手３９とを共握りして操作レバー４３を把手３９側に操作することで、対応する係止ピン３５を、バネ３６の付勢に抗して第１係止孔３７又は第２係止孔３８から抜き出すことができるようになっている。
【００５８】
つまり、手動操作の行い易い高さ位置に配置された把手３９と操作レバー４３とを搭乗運転部１３側から共握りすることで、対応するロック機構３４による予備苗載台２０の第１状態又は第２状態での固定保持を解除することができ、もって、ロック機構３４による予備苗載台２０の固定保持を解除して予備苗載台２０を第１状態又は第２状態に切り換えた後に、再びロック機構３４によって予備苗載台２０を固定保持する、といった一連の操作を搭乗運転部１３側から容易に行えるようになっている。
【００５９】
又、ロック機構３４による予備苗載台２０の固定解除を手動操作で行うことから、ペダル操作で行う場合のように、運転者の片足をペダルに預けることで、予備苗載台２０の固定解除後に行われる予備苗載台２０の切り換え操作の際に運転者の姿勢が不安定になる不都合や、予備苗載台２０の切り換え操作あるいは予備苗載台２０から苗植付装置４の苗載台１６への予備苗供給などを行う際にペダルが邪魔になる不都合を回避できるようになっている。
【００６０】
図１、図３及び図４に示すように、左右の各予備苗載台２０には、予備苗載台２０を第２状態から第１状態に向けて起立付勢するガススプリング（付勢手段の一例）４４が装備され、これらのガススプリング４４は、その付勢によって、予備苗載台２０を第２状態から第１状態に切り換える際の操作荷重が、予備苗載台２０を第１状態から第２状態に切り換える際の操作荷重よりも大きくなるように設定されている。
【００６１】
つまり、ガススプリング４４の起立付勢によって、予備苗が補給されたことで操作荷重が大きくなる予備苗載台２０の第２状態から第１状態への切り換えを軽い操作で行えるようになっている。又、搭乗運転部１３からの予備苗載台２０の第２状態から第１状態への切り換えは、力が入り易く体重の掛け易い引っ張り方向であるのに対し、搭乗運転部１３からの予備苗載台２０の第１状態から第２状態への切り換えは、力を入れ難く体重の掛け難い押し出し方向であることから、予備苗載台２０を第２状態から第１状態に切り換える際の操作荷重が、予備苗載台２０を第１状態から第２状態に切り換える際の操作荷重よりも大きくなるように設定しているのであり、もって、搭乗運転部１３からの予備苗載台２０の第１状態と第２状態との切り換えが行い易くなっている。
【００６２】
図１〜４及び図６に示すように、前部フレーム５には、その前下部から左右の乗降ステップ１８にわたる状態で走行機体１の前端部を覆う樹脂製のバンパー４５が着脱可能にボルト連結されており、これによって、走行機体１の外観の向上を図れるようになり、又、走行機体１の前端部を畦や土手などに押し付けた際に、前部フレーム５の前下部や左右の乗降ステップ１８の前端部が損傷する不都合を回避することができるとともに、前部フレーム５や乗降ステップ１８などに比較して安価で組み付けの容易なバンパー４５の交換を行うだけで、簡単かつ安価に修復できるようになっている。
【００６３】
バンパー４５は、中空でその左右中央上端部に注入口４６を有するように形成されており、注入口４６を閉塞するキャップ４７を取り外して、その注入口４６から水又は砂などを注入あるいは排出することで、その重量を調節できるようになっている。
【００６４】
つまり、バンパー４５は、バランスウェイトとしての機能をも有するようになっており、走行機体１の後部に連結される苗植付装置４の重量や圃場の状態などに応じてバンパー４５の重量を調節することで、容易に機体バランスの向上を図れるようになっている。
【００６５】
ちなみに、バンパー４５としては、上記の重量調節が不能に形成されたバランスウェイトとしての機能を備えていないものであってもよい。
【００６６】
〔別実施形態〕
以下、本発明の別実施形態を列記する。
〔１〕図７及び図８に示すように、各把手３９に装備した操作レバー４３を、対応するロック機構３４の係止ピン３５に、ワイヤ（連係部材の一例）４８を介して連係するようにしてもよい。
【００６７】
尚、図７及び図８に示す別実施形態おいては、各把手３９をループ状に形成し、その内方側に操作レバー４３が配備されている。又、前側のリンク部材２４と揺動枠２２とにわたって架設したワイヤ４９によって、各支柱２１の前傾位置から前方への倒伏が阻止されるようになっている。
【００６８】
〔２〕図９に示すように、左右の各予備苗載台２０に、その後部上方に位置するボス３０から後方に向けて延出する把手３９に加えて、その前部上方に位置するボス２９から前方に向けて延出する把手５０を装備するとともに、各把手５０に、その後方に位置する把手３９にロッド（連係部材の一例）５１を介して連係された操作レバー（操作具の一例）５２を、把手５０との共握りが可能な状態に備えるようにして、各ロック機構３４による予備苗載台２０の固定保持を解除して予備苗載台２０を第１状態又は第２状態に切り換えた後に、再びロック機構３４によって予備苗載台２０を固定保持する、といった一連の操作を機体前方の畦際側などからも容易に行えるようにしてもよい。
【００６９】
〔３〕図１０に示すように、各把手３９を、揺動枠２２の後上部から後方に向けて延出し、それらの把手３９に操作レバー４３を装備するようにして、予備苗載台２０の第１状態と第２状態との切り換えにかかわらず、把手３９及び操作レバー４３の姿勢が略一定となるようにしてもよい。又、図示は省略するが、各把手５０を、揺動枠２２の前上部から前方に向けて延出し、それらの把手５０に操作レバー５２を装備するようにして、予備苗載台２０の第１状態と第２状態との切り換えにかかわらず、把手５０及び操作レバー５２の姿勢が略一定となるようにしてもよい。
【００７０】
〔４〕各ガススプリング４４としては、その付勢によって、予備苗載台２０を第１状態から第２状態に切り換える際の操作荷重と、予備苗載台２０を第２状態から第１状態に切り換える際の操作荷重とが同じ又は略同じになるように設定されたものであってもよい。
【００７１】
〔５〕走行機体１に対する支柱２１の前後摺動で予備苗載台２０が第１状態と第２状態とに切り換えられるように構成してもよい。
【００７２】
〔６〕支柱２１を単一のリンク部材で構成するようにしてもよい。
【００７３】
〔７〕予備苗載台２０としては、支持フレーム１９と前後のリンク部材２４，２５と揺動枠２２の上枠部２８とから、第１状態及び第２状態のいずれにおいても各載置台２３を水平姿勢に維持する平行四連リンクが構成されたものであってもよい。
【００７４】
〔８〕ロック機構３４を操作する操作具４３，５２として、踏み込み操作されるペダルを採用するようにしてもよい。
【００７５】
〔９〕付勢手段４４としてバネなどを採用するようにしてもよい。
【００７６】
【図面の簡単な説明】
【図１】乗用形田植機の全体側面図
【図２】予備苗載台の正面図
【図３】予備苗載台の第１状態を示す要部の側面図
【図４】予備苗載台の第２状態を示す要部の側面図
【図５】ロック機構の構成を示す図
【図６】バンパーの形状を示す要部の側面図
【図７】連係部材としてワイヤを採用した別実施形態を示す予備苗載台の側面図
【図８】連係部材としてワイヤを採用した別実施形態でのロック機構の構成を示す図
【図９】予備苗載台の前後に把手及び操作具を装備した別実施形態を示す予備苗載台の側面図
【図１０】揺動枠に把手及び操作具を装備した別実施形態を示す予備苗載台の側面図
【符号の説明】
１　　走行機体
１９　支持フレーム
２０　予備苗載台
２１　支柱
２２　揺動枠
２３　載置台
２４　リンク部材（前）
２５　リンク部材（後）
２８　上枠部
３４　ロック機構
４１　連係部材（クランクアーム）
４２　連係部材（ロッド）
４３　操作具
４４　付勢手段
４８　連係部材（ワイヤ）
５１　連係部材（ロッド）
５２　操作具
【図１】
2004113071.tif 000003
【図２】
2004113071.tif 000004
【図３】
2004113071.tif 000005
【図４】
2004113071.tif 000006
【図５】
2004113071.tif 000007
【図６】
2004113071.tif 000008
【図７】
2004113071.tif 000009
【図８】
2004113071.tif 000010
【図９】
2004113071.tif 000011
【図１０】
2004113071.tif 000012